(57)【要約】【課題】多画面表示したときに、視聴者に違和感を与えることなく、表示品位を改善し、消費電力の低減を図る。【解決手段】液晶表示装置１は、映像を表示する液晶パネル６と、液晶パネル６を照明するバックライトユニット７と、入力映像信号の特徴量（ＡＰＬなど）に応じてバックライトユニット７の発光輝度を可変制御するバックライト制御部４と、複数の入力映像信号を液晶パネル６における複数の画面にそれぞれ表示制御する映像合成部２と、複数の入力映像信号に伴う複数の入力音声信号のうちいずれかの入力音声信号を選択する音声選択部８とを備える。バックライト制御部４は、音声選択部８により選択された入力音声信号に応じた入力映像信号の特徴量を算出し、算出した特徴量に基づいてバックライトユニット７の発光輝度を可変制御する。【選択図】図１
2014032301.tif 000002
【特許請求の範囲】
【請求項１】
映像を表示する液晶パネルと、該液晶パネルを照明する光源とを備え、入力映像信号の特徴量に応じて前記光源の発光輝度を可変制御する液晶表示装置であって、
複数の入力映像信号を前記液晶パネルにおける複数の画面にそれぞれ表示制御する映像合成部と、前記複数の入力映像信号に伴う複数の入力音声信号のうちいずれかの入力音声信号を選択する音声選択部とを備え、
該音声選択部により選択された入力音声信号に応じた入力映像信号の特徴量を算出し、該算出した特徴量に基づいて前記光源の発光輝度を可変制御することを特徴とする液晶表示装置。
【請求項２】
請求項１に記載の液晶表示装置において、前記音声選択部により選択された入力音声信号に応じた入力映像信号の画面を、該入力映像信号以外の他の入力映像信号の画面よりも相対的に大きく表示することを特徴とする液晶表示装置。
【請求項３】
請求項１または２に記載の液晶表示装置において、前記音声選択部により選択された入力音声信号に応じた入力映像信号の特徴量に加え、さらに、該入力映像信号以外の他の入力映像信号の特徴量を算出し、前記入力映像信号の特徴量および前記他の入力映像信号の特徴量に基づいて前記光源の発光輝度を可変制御することを特徴とする液晶表示装置。
【請求項４】
請求項１または２に記載の液晶表示装置において、前記音声選択部により選択された入力音声信号に応じた入力映像信号の特徴量に加え、さらに、該入力映像信号以外の他の入力映像信号の特徴量を算出し、前記入力映像信号の特徴量と、前記他の入力映像信号の特徴量との差分を求め、該差分が所定値以下の場合に、前記入力映像信号の特徴量に基づいて前記光源の発光輝度を可変制御することを特徴とする液晶表示装置。
【請求項５】
請求項１または２に記載の液晶表示装置において、前記音声選択部により選択された入力音声信号に応じた入力映像信号の特徴量に加え、さらに、該入力映像信号以外の他の入力映像信号の特徴量を算出し、前記入力映像信号の特徴量に応じた前記光源の発光輝度と、前記他の入力映像信号の特徴量に応じた前記光源の発光輝度との差分を求め、該差分が所定値以下の場合に、前記入力映像信号の特徴量に基づいて前記光源の発光輝度を可変制御することを特徴とする液晶表示装置。
【請求項６】
請求項４または５に記載の液晶表示装置において、前記差分が所定値よりも大きい場合に、前記複数の入力映像信号の現フレームにおける前記光源の発光輝度を、該現フレームの前フレームにおける前記光源の発光輝度とすることを特徴とする液晶表示装置。
【請求項７】
前記光源の発光輝度を可変制御するための所定の制御関数を有し、該所定の制御関数は、１画面表示するときに入力映像信号の特徴量と前記光源の発光輝度との関係を示す第１の制御関数と、複数画面表示するときに入力映像信号の特徴量と前記光源の発光輝度との関係を示す第２の制御関数とからなり、該第２の制御関数における前記光源の発光輝度の最大値と最小値との差が、前記第１の制御関数における前記光源の発光輝度の最大値と最小値との差よりも小さいことを特徴とする請求項１〜６のいずれか１項に記載の液晶表示装置。
【発明の詳細な説明】
【技術分野】
【０００１】
本発明は、液晶表示装置に関し、より詳細には、入力映像信号に応じてバックライト光源の発光輝度を変化させる機能を備えた液晶表示装置に関する。
【背景技術】
【０００２】
従来、映像信号に従って光源光を変調する液晶パネルと、その液晶パネルを照明するためのバックライト光源とを備えた液晶表示装置において、入力映像信号に応じてバックライト光源の発光輝度を制御する技術が知られている。これによれば、表示映像の品位を改善する、あるいは、消費電力を低減するなどの効果を得ることができる。
【０００３】
例えば、入力映像信号の特徴量として、１フレームにおける平均輝度レベル（Average Picture Level，以下、ＡＰＬという）を算出し、算出したＡＰＬに応じてバックライト光源の発光輝度を調整するものや、入力映像信号の１フレームにおける画素の輝度レベルのうち、最大輝度レベルまたは最小輝度レベルに基づいてバックライト光源の発光輝度を調整するもの、その他、入力映像信号の輝度レベルのヒストグラム等を分析することで、バックライト光源の発光輝度を調整するものなどが存在する。
【０００４】
図４は、入力映像信号のＡＰＬとバックライト光源の発光輝度とを対応付けた制御関数の一例を示す図で、図中、縦軸はバックライト光源の発光輝度、横軸は入力映像信号のＡＰＬを示す。このような制御関数によれば、ＡＰＬの低い暗い映像では、バックライト光源の発光輝度が高く制御されるため、輝き感が増し、表示映像の品位が向上する。また、ＡＰＬの高い明るい映像では、バックライト光源の発光輝度が低く制御されるため、消費電力の低減を図ることができる。
【０００５】
ところで、近年の液晶表示装置では、大型化、高精細化が進み、６０型以上の高精細（４ｋ２ｋ，８ｋ４ｋなど）な液晶パネルが発表されている。そして、このような大型化、高精細化のメリットを活かして、２画面以上の多画面表示機能を持つ液晶表示装置が製品化されているが、多画面表示を行っているときに、上記のように、入力映像信号の特徴量に応じてバックライト光源の発光輝度を変化させると、視聴者に違和感を与えてしまうという問題がある。この問題について図５に基づいて説明する。
【０００６】
図５（Ａ）に示すように、テレビ画面１００に２画面（画面Ａ，画面Ｂ）が表示されており、画面Ａでは輝度変化の比較的大きい動画映像を表示し、画面Ｂでは輝度変化の比較的小さい静止画に近い映像を表示する。画面Ａ，画面Ｂそれぞれの映像のＡＰＬの変化の様子を図５（Ｂ）に示す。図５（Ｂ）において、１０１は画面Ａの映像のＡＰＬの変化の様子を示し、１０２は画面Ｂの映像のＡＰＬの変化の様子を示す。
【０００７】
上記において、（１）画面Ａ，Ｂの両方のＡＰＬを平均化してバックライト光源の発光輝度を変化させた場合、本来一定であることが望ましい画面Ｂの輝度も変化してしまうため、映像がフラッシングして見難いものになる。また、画面ＡについてもＡＰＬが平均化されるため、これに応じて輝度変化も限定的なものとなり、本来の表示品位改善効果を得ることができない。（２）画面ＡのＡＰＬのみを用いてバックライト光源の発光輝度を変化させた場合、画面Ａについては本来の表示品位改善効果を得ることができるが、画面Ｂでも輝度が変化してしまい、やはり映像がフラッシングしてしまう。（３）画面ＢのＡＰＬのみを用いてバックライト光源の発光輝度を変化させた場合、バックライト光源の発光輝度は変化しないため、画面Ｂの輝度は一定になるが、画面Ａでは表示品位改善効果を得ることはできない。
【０００８】
このような問題に対して、例えば、特許文献１には、多画面表示する際に、入力映像信号のＡＰＬに関わらず、バックライト光源の発光輝度を一定に維持する技術が記載されている。すなわち、多画面表示する場合、入力映像信号のＡＰＬに応じてバックライト光源の発光輝度を可変制御する処理を停止させ、これにより視聴者に違和感を与えないようにすることができる。
【先行技術文献】
【特許文献】
【０００９】
【特許文献１】特許第４０１１１０４号公報
【発明の概要】
【発明が解決しようとする課題】
【００１０】
しかしながら、上記特許文献１に記載の技術では、多画面表示時にバックライト光源の発光輝度を可変制御する処理を停止させるため、多画面表示の際には表示品位改善効果を得ることができない。また、多画面表示時にはバックライト光源の発光輝度が常に一定に維持されるため、消費電力の低減を図ることもできない。
【００１１】
本発明は、上述のような実情に鑑みてなされたもので、多画面表示したときに、視聴者に違和感を与えることなく、表示品位を改善し、消費電力の低減を図ることができる液晶表示装置を提供することを目的とする。
【課題を解決するための手段】
【００１２】
上記課題を解決するために、本発明の第１の技術手段は、映像を表示する液晶パネルと、該液晶パネルを照明する光源とを備え、入力映像信号の特徴量に応じて前記光源の発光輝度を可変制御する液晶表示装置であって、複数の入力映像信号を前記液晶パネルにおける複数の画面にそれぞれ表示制御する映像合成部と、前記複数の入力映像信号に伴う複数の入力音声信号のうちいずれかの入力音声信号を選択する音声選択部とを備え、該音声選択部により選択された入力音声信号に応じた入力映像信号の特徴量を算出し、該算出した特徴量に基づいて前記光源の発光輝度を可変制御することを特徴としたものである。
【００１３】
第２の技術手段は、第１の技術手段において、前記音声選択部により選択された入力音声信号に応じた入力映像信号の画面を、該入力映像信号以外の他の入力映像信号の画面よりも相対的に大きく表示することを特徴としたものである。
【００１４】
第３の技術手段は、第１または第２の技術手段において、前記音声選択部により選択された入力音声信号に応じた入力映像信号の特徴量に加え、さらに、該入力映像信号以外の他の入力映像信号の特徴量を算出し、前記入力映像信号の特徴量および前記他の入力映像信号の特徴量に基づいて前記光源の発光輝度を可変制御することを特徴としたものである。
【００１５】
第４の技術手段は、第１または第２の技術手段において、前記音声選択部により選択された入力音声信号に応じた入力映像信号の特徴量に加え、さらに、該入力映像信号以外の他の入力映像信号の特徴量を算出し、前記入力映像信号の特徴量と、前記他の入力映像信号の特徴量との差分を求め、該差分が所定値以下の場合に、前記入力映像信号の特徴量に基づいて前記光源の発光輝度を可変制御することを特徴としたものである。
【００１６】
第５の技術手段は、第１または第２の技術手段において、前記音声選択部により選択された入力音声信号に応じた入力映像信号の特徴量に加え、さらに、該入力映像信号以外の他の入力映像信号の特徴量を算出し、前記入力映像信号の特徴量に応じた前記光源の発光輝度と、前記他の入力映像信号の特徴量に応じた前記光源の発光輝度との差分を求め、該差分が所定値以下の場合に、前記入力映像信号の特徴量に基づいて前記光源の発光輝度を可変制御することを特徴としたものである。
【００１７】
第６の技術手段は、第４または第５の技術手段において、前記差分が所定値よりも大きい場合に、前記複数の入力映像信号の現フレームにおける前記光源の発光輝度を、該現フレームの前フレームにおける前記光源の発光輝度とすることを特徴としたものである。
【００１８】
第７の技術手段は、第１〜第６のいずれか１の技術手段において、前記光源の発光輝度を可変制御するための所定の制御関数を有し、該所定の制御関数は、１画面表示するときに入力映像信号の特徴量と前記光源の発光輝度との関係を示す第１の制御関数と、複数画面表示するときに入力映像信号の特徴量と前記光源の発光輝度との関係を示す第２の制御関数とからなり、該第２の制御関数における前記光源の発光輝度の最大値と最小値との差が、前記第１の制御関数における前記光源の発光輝度の最大値と最小値との差よりも小さいことを特徴としたものである。
【発明の効果】
【００１９】
本発明によれば、多画面表示したときに、視聴者が集中していると考えられる音声出力中画面の映像特徴量に応じてバックライト光源の発光輝度を可変制御することができるため、視聴者に違和感を与えることなく、表示品位を改善し、消費電力の低減を図ることができる。
【図面の簡単な説明】
【００２０】
【図１】本発明の一実施形態に係る液晶表示装置の構成例を説明するための概略ブロック図である。
【図２】本発明の液晶表示装置により２画面表示したときの画面例を示す図である。
【図３】入力映像信号のＡＰＬとバックライト光源の発光輝度との関係を示す制御関数の一例を示す図である。
【図４】入力映像信号のＡＰＬとバックライト光源の発光輝度とを対応付けた制御関数の一例を示す図である。
【図５】従来技術の問題点を説明するための図である。
【発明を実施するための形態】
【００２１】
以下、添付図面を参照しながら、本発明に係る液晶表示装置の好適な実施の形態について説明する。
【００２２】
図１は、本発明の一実施形態に係る液晶表示装置の構成例を説明するための概略ブロック図で、図中、１は液晶表示装置を示す。液晶表示装置１は、入力信号Ａ，Ｂの２つの映像を液晶パネル６における２つの画面にそれぞれ表示制御する映像合成部２と、映像合成部２を制御して表示モード（１画面表示モードまたは２画面表示モード）を切り換える２画面制御部３と、バックライトユニット７の発光輝度を制御するバックライト制御部４と、液晶パネル６の表示を制御する液晶（ＬＣＤ）コントローラ５と、映像を表示する液晶パネル（映像表示部）６と、液晶パネル６を照明する光源に相当するバックライトユニット７と、入力信号Ａ，Ｂの２つの音声のうちいずれかの音声を選択する音声選択部８と、音声選択部８で選択された音声を出力する音声出力部（スピーカ）９と、ユーザが操作するリモコンＲからのリモコン信号（操作信号）を受信するリモコン信号受光部１０とを備える。
【００２３】
上記のように構成された液晶表示装置１は、１画面表示モードの場合、入力信号Ａ，Ｂのうちいずれかの映像の特徴量（例えば、ＡＰＬなど）に応じてバックライトユニット７の発光輝度を可変制御する。また、２画面表示モードの場合、入力信号Ａ，Ｂのうち音声選択部８で音声が選択された映像の特徴量に応じてバックライトユニット７の発光輝度を可変制御する。ここで、２画面表示の場合、通常、視聴者は音声出力中画面の映像に集中していると考えられる。本発明では、この点に着目し、２画面表示したときに、視聴者が集中していると考えられる音声出力中画面の映像特徴量に応じてバックライト光源の発光輝度を可変制御する。以下、映像信号の映像特徴量に応じて動的にバックライト光源の発光輝度を制御することを、アクティブバックライト輝度制御ともいう。
【００２４】
上記において、音声出力されていない画面についても、アクティブバックライト輝度制御が実行されるが、こちらの画面は視聴者があまり見ていないと考えられるため、バックライト輝度を変化させても大きな問題にはならず、視聴者に違和感を与えることもない。そして、視聴者が集中する音声出力中画面については、アクティブバックライト輝度制御により、表示品位を改善することができる。さらには、アクティブバックライト輝度制御により、液晶表示装置１の消費電力の低減を図ることができる。なお、以下の説明では、基本的に２画面表示を前提として説明するが、３画面以上の多画面表示でも同様に適用することができる。
【００２５】
図１において、液晶表示装置１は、映像及び音声を含む入力信号Ａと、入力信号Ａとは異なる映像及び音声を含む入力信号Ｂとを図示しないチューナや入力端子などから入力し、入力信号Ａ，Ｂの２つの映像を映像合成部２およびバックライト制御部４に送り、入力信号Ａ，Ｂの２つの音声を音声選択部８に送る。
【００２６】
リモコン信号受光部１０は、ユーザがリモコンＲを操作したときに送信されるリモコン信号（操作信号）を受信する。２画面制御部３は、ユーザによるリモコンＲの操作等に応じて、１画面表示モードまたは２画面表示モードのいずれかの表示モードに切り換えるように映像合成部２に指示すると共に、現在の表示モード（１画面表示モードまたは２画面表示モード）の情報をバックライト制御部４に出力する。このように、２画面制御部３は、入力信号Ａの映像と入力信号Ｂの映像とを２画面表示するか否かを、ユーザ操作等に基づき制御する。
【００２７】
ここで、ユーザがリモコンＲを操作して、入力信号Ａ，Ｂの２つの映像を表示させる２画面表示モードを選択した場合、さらに、ユーザはリモコンＲを操作して、入力信号Ａ，Ｂの２つの音声のうちいずれかの音声を選択指示する。例えば、入力信号Ａの音声が選択指示された場合、音声選択部８は、このユーザ操作による選択指示に応じて、入力信号Ａの音声を選択する。選択された入力信号Ａの音声は音声出力部９から音声出力され、また、音声選択部８は、入力信号Ａの音声を選択している旨をバックライト制御部４に通知する。
【００２８】
バックライト制御部４は、音声選択部８から入力信号Ａの音声を選択している旨の通知を受けると、入力信号Ａ，Ｂの２つの映像のうちの入力信号Ａの映像特徴量（ここではＡＰＬ）を算出し、算出した映像特徴量に応じてバックライト光源の発光輝度を制御するための発光輝度制御信号をバックライトユニット７に出力する。
【００２９】
また、ユーザがリモコンＲを操作して、入力信号Ａ，Ｂのいずれか一方の映像を表示させる１画面表示モードを選択した場合、２画面制御部３は、表示対象の映像を特定するための情報を音声選択部８に出力し、音声選択部８は、この情報に基づき自動的に映像に応じた音声を選択する。選択された音声は音声出力部９から音声出力される。また、バックライト制御部４は、表示対象とした映像の映像特徴量を算出し、算出した映像特徴量に応じてバックライト光源の発光輝度を制御するための発光輝度制御信号をバックライトユニット７に出力する。
【００３０】
映像合成部２は、２画面表示の場合には、入力信号Ａ，Ｂの２つの映像信号に対して合成処理および各種映像処理を施して映像を調整し、また、１画面表示の場合には、対象となる映像信号に各種映像処理を施して映像を調整し、ＬＣＤコントローラ５に送る。ＬＣＤコントローラ５は、映像合成部２から受け取った合成・調整後の映像信号に基づき液晶パネル６を制御する。液晶パネル６は、ＬＣＤコントローラ５の制御に基づき映像を表示する映像表示部である。なお、２画面表示のときの液晶パネル６の画面例は前述の図５（Ａ）に例示することができる。そして、バックライト制御部４から伝送される発光輝度制御信号に従って、液晶パネル６を照明するバックライトユニット７の発光輝度が制御される。
【００３１】
上記において、２画面表示の場合、バックライト制御部４は、音声選択部８により選択された音声信号に応じた映像信号の映像特徴量を算出し、算出した映像特徴量に基づいてバックライトユニット７の発光輝度を制御する。具体的には、メイン画面で映画番組を音声有りで表示させ、サブ画面でスポーツ番組（野球など）を音声無しで表示させている場合、映画番組の映像特徴量に応じてバックライト光源の発光輝度が可変制御される。また、メイン画面でゲームコンテンツを音声有りで表示させ、サブ画面で放送番組を音声無しで表示させている場合、ゲームコンテンツの映像特徴量に応じてバックライト光源の発光輝度が可変制御される。なお、サブ画面に見たいシーンが表示された場合には、視聴者はリモコンＲを操作して、メイン画面の音声からサブ画面の音声に切り換える。この場合、サブ画面に表示されている映像の映像特徴量に応じてバックライト光源の発光輝度が可変制御される。
【００３２】
このようにして、視聴者が集中していると考えられる音声出力中画面の映像特徴量に応じてバックライト光源の発光輝度を可変制御することができるため、視聴者に違和感を与えることなく、表示品位を改善し、消費電力の低減を図ることができる。
【００３３】
ここで、バックライト制御部４は、ＡＰＬ算出部と、輝度制御テーブル（いずれも図示は省略）とを備える。ＡＰＬ算出部は、映像信号の１フレーム毎のＡＰＬを算出する。このＡＰＬは、本発明による映像信号の映像特徴量の１つである。そして、輝度制御テーブルの発光輝度制御特性に基づき、ＡＰＬに応じたバックライト光源の発光輝度制御が実行される。なお、輝度制御テーブルは、例えば、前述の図４に示した制御関数に対応するルックアップテーブルとしてメモリに保持されているものとする。
【００３４】
図２は、本発明の液晶表示装置１により２画面表示したときの画面例を示す図である。テレビ画面１１には、メイン画面１１ａと、サブ画面１１ｂとが表示されている。本例では、音声選択部８により選択された音声信号に応じた映像信号のメイン画面１１ａを、この映像信号以外の他の映像信号のサブ画面１１ｂよりも相対的に大きく表示するものとする。図２の例では、音声出力中のメイン画面１１ａが拡大表示されているが、この拡大処理は映像合成部２で実行される。
【００３５】
上記の場合、メイン画面１１ａの映像およびサブ画面１１ｂの映像は共に、音声出力中のメイン画面１１ａの映像特徴量に応じてバックライト光源の発光輝度が可変制御されるが、サブ画面１１ｂはメイン画面１１ａよりも相対的に小さく表示される。このため、仮に視聴者がサブ画面１１ｂを見たとしても、バックライト光源の発光輝度の変化が認識され難く、視聴者に与える違和感をより軽減することができる。
【００３６】
次に、本発明の別の実施形態について図１に基づき説明する。バックライト制御部４は、音声選択部８により選択された音声信号に応じた映像信号の特徴量（ここでは、入力信号Ａの映像特徴量）に加え、さらに、入力信号Ａ以外の他の映像信号の特徴量（ここでは、入力信号Ｂの映像特徴量）を算出し、入力信号Ａの映像特徴量および入力信号Ｂの映像特徴量に基づいてバックライトユニット７の発光輝度を可変制御するようにしてもよい。すなわち、上述の実施形態では、音声選択部８により音声が選択された入力信号Ａの映像特徴量のみを用いていたが、本実施形態では、音声選択されている入力信号Ａの映像特徴量に加え、音声選択されていない他の入力信号Ｂの映像特徴量も利用する。
【００３７】
なお、３画面以上の多画面表示する場合には、２つ以上の他の映像信号それぞれの映像特徴量を平均した値を用いてもよく、あるいは、他の映像信号それぞれの映像特徴量の最大値または最小値を用いてもよく、あるいは、他の映像信号それぞれの映像特徴量を重み付き平均した値を用いてもよい。例えば、映像特徴量をＡＰＬとし、入力信号Ａを他の２つの入力信号Ｂ，Ｃと共に３画面表示する場合、入力信号ＢのＡＰＬと入力信号ＣのＡＰＬのそれぞれのＡＰＬを平均した値を、入力信号Ａ以外の他の映像信号の特徴量として用いることができる。
【００３８】
図１において、例えば、入力信号Ａの映像特徴量に応じたバックライトユニット７の発光輝度をＬＵＭＡ、入力信号Ｂの映像特徴量に応じたバックライトユニット７の発光輝度をＬＵＭＢとし、重み付け係数をα、βとすると、以下の式（１）により、最終的なバックライトユニット７の発光輝度（ＬＵＭ）を求めることができる。
ＬＵＭ＝（α×ＬＵＭＡ＋β×ＬＵＭＢ）／（α＋β）    …式（１）
但し、α＞β
【００３９】
上記では、音声選択されている入力信号Ａ（メイン画面Ａ）の映像特徴量に基づくバックライトユニット７の発光輝度が優先されるが、音声選択されていない入力信号Ｂ（サブ画面Ｂ）の映像特徴量に基づくバックライトユニット７の発光輝度も考慮されるため、視聴者がメイン画面Ａを視聴中にサブ画面Ｂを見たとしても、バックライト光源の発光輝度の変化が認識され難く、視聴者に与える違和感をより軽減することができる。
【００４０】
次に、本発明のさらに別の実施形態について図１に基づき説明する。バックライト制御部４は、音声選択部８により選択された音声信号に応じた映像信号の特徴量（ここでは、入力信号Ａの映像特徴量）に加え、さらに、この入力信号Ａ以外の他の映像信号の特徴量（ここでは、入力信号Ｂの映像特徴量）を算出し、入力信号Ａの映像特徴量と、入力信号Ｂの映像特徴量との差分を求め、その差分が所定値以下の場合に、入力信号Ａの映像特徴量に基づいてバックライトユニット７の発光輝度を可変制御するようにしてもよい。上記の“所定値”は、ユーザあるいはメーカが適宜設定できる値である。
【００４１】
なお、３画面以上の多画面表示する場合には、上述したように、２つ以上の他の映像信号それぞれの映像特徴量を平均した値を用いてもよく、あるいは、他の映像信号それぞれの映像特徴量の最大値または最小値を用いてもよく、あるいは、他の映像信号それぞれの映像特徴量を重み付き平均した値を用いてもよい。例えば、映像特徴量をＡＰＬとし、入力信号Ａを他の２つの入力信号Ｂ，Ｃと共に３画面表示する場合、入力信号ＢのＡＰＬと入力信号ＣのＡＰＬのそれぞれのＡＰＬを平均した値を、入力信号Ａ以外の他の映像信号の特徴量として用いることができる。
【００４２】
ここで、音声選択されている入力信号Ａ（メイン画面Ａ）の映像特徴量と、音声選択されていない入力信号Ｂ（サブ画面Ｂ）の映像特徴量との差分が小さいということは、メイン画面Ａとサブ画面Ｂとの輝度差が小さく、メイン画面Ａの映像とサブ画面Ｂの映像とは同程度の明るさを持つと推定される。すなわち、メイン画面Ａの映像の明るさとサブ画面Ｂの映像の明るさとが同程度の場合のみ、メイン画面Ａの映像特徴量に基づいてバックライトユニット７の発光輝度を可変制御する。これにより、視聴者がメイン画面Ａを視聴中にサブ画面Ｂを見た場合、バックライト光源の発光輝度の変化は認識されるが、メイン画面Ａの映像とサブ画面Ｂの映像とは明るさが同程度であるため、視聴者が大きな違和感を覚えることはない。
【００４３】
また、入力信号Ａ（メイン画面Ａ）の映像特徴量と、入力信号Ｂ（サブ画面Ｂ）の映像特徴量との差分が所定値よりも大きい場合には、メイン画面Ａの映像とサブ画面Ｂの映像とは明るさが異なるものと推定される。この場合には、メイン画面Ａの映像特徴量に基づいてバックライトユニット７の発光輝度を可変制御すると、サブ画面Ｂの輝度変化が目立ってしまう可能性がある。これを防止するために、入力信号Ａ，Ｂの現フレームにおけるバックライトユニット７の発光輝度を、現フレームの前フレームにおけるバックライトユニット７の発光輝度とすることが望ましい。これにより、サブ画面Ｂの輝度変化を抑制し、視聴者に違和感を与えることを防止できる。
【００４４】
また、上記の変形例として、バックライト制御部４は、入力信号Ａ（メイン画面Ａ）の映像特徴量に応じたバックライトユニット７の発光輝度と、入力信号Ｂ（サブ画面Ｂ）の映像特徴量に応じたバックライトユニット７の発光輝度との差分を求め、その差分が所定値以下の場合に、入力信号Ａの映像特徴量に基づいてバックライトユニット７の発光輝度を可変制御するようにしてもよい。
【００４５】
なお、３画面以上の多画面表示する場合には、上述したように、２つ以上の他の映像信号それぞれの映像特徴量を平均した値を用いてもよく、あるいは、他の映像信号それぞれの映像特徴量の最大値または最小値を用いてもよく、あるいは、他の映像信号それぞれの映像特徴量を重み付き平均した値を用いてもよい。例えば、映像特徴量をＡＰＬとし、入力信号Ａを他の２つの入力信号Ｂ，Ｃと共に３画面表示する場合、入力信号ＢのＡＰＬと入力信号ＣのＡＰＬのそれぞれのＡＰＬを平均した値を、入力信号Ａ以外の他の映像信号の特徴量として用いることができる。
【００４６】
例えば、入力信号Ａの映像特徴量に応じたバックライトユニット７の発光輝度をＬＵＭＡ（ｎ）、入力信号Ｂの映像特徴量に応じたバックライトユニット７の発光輝度をＬＵＭＢ（ｎ）、最終的なバックライトユニット７の発光輝度をＬＵＭ（ｎ）、閾値をＴｈとした場合、以下の式（２）を満たすか否かを判定する。なお、ｎは第ｎフレームであることを示す。閾値Ｔｈはユーザあるいはメーカが適宜設定できる値である。
｜（ＬＵＭＡ（ｎ）−ＬＵＭＢ（ｎ））／ＬＵＭＡ（ｎ）｜≦Ｔｈ    …式（２）
【００４７】
上記式（２）を満たす場合、メイン画面Ａとサブ画面Ｂとの輝度差が小さく、メイン画面Ａの映像とサブ画面Ｂの映像とは同程度の明るさを持つものと推定される。この場合、ＬＵＭ（ｎ）＝ＬＵＭＡ（ｎ）とする。すなわち、入力信号Ａの映像特徴量に基づいてバックライトユニット７の発光輝度が可変制御される。また、上記式（２）を満たさない場合、メイン画面Ａとサブ画面Ｂとの輝度差が大きく、メイン画面Ａの映像とサブ画面Ｂの映像とは明るさが異なるものと推定される。この場合、ＬＵＭ（ｎ）＝ＬＵＭ（ｎ−１）とする。すなわち、前フレームにおけるバックライトユニット７の発光輝度を保持する。
【００４８】
このように、音声選択されているメイン画面Ａと、音声選択されていないサブ画面Ｂとに対して、さらに、メイン画面Ａとサブ画面Ｂとの輝度差の大小について判定する。つまり、画面間の輝度差が小さい場合には、メイン画面Ａの映像特徴量に基づいてバックライトユニット７の発光輝度を可変制御し、画面間の輝度差が大きい場合には、前フレームにおけるバックライトユニット７の発光輝度を保持する。これにより、視聴者がメイン画面Ａを視聴中にサブ画面Ｂを見たときに、視聴者に大きな違和感を与えることがない。
【００４９】
図３は、入力映像信号のＡＰＬとバックライト光源の発光輝度との関係を示す制御関数の一例を示す図である。図中、１２は１画面表示するときの入力映像信号のＡＰＬとバックライト光源の発光輝度との関係を示す第１の制御関数、１３は２画面表示するときの入力映像信号のＡＰＬとバックライト光源の発光輝度との関係を示す第２の制御関数を示す。このように、第２の制御関数１３における発光輝度の最大値と最小値との差を、第１の制御関数１２における発光輝度の最大値と最小値との差よりも小さくすることが望ましい。
【００５０】
上記の制御関数によりバックライト光源の発光輝度が可変制御される。つまり、メイン画面Ａおよびサブ画面Ｂを２画面表示する場合、バックライト制御部４は、音声選択されている入力信号Ａ（メイン画面Ａ）のＡＰＬに基づいてバックライトユニット７の発光輝度を制御する際に、第２の制御関数１３を参照する。また、メイン画面Ａのみを１画面表示する場合、バックライト制御部４は、入力信号ＡのＡＰＬに基づいてバックライトユニット７の発光輝度を制御する際に、第１の制御関数１２を参照する。これより、２画面表示の際には、バックライトユニット７の発光輝度の範囲が狭く制限されるため、入力信号ＡのＡＰＬに基づきバックライトユニット７の発光輝度を可変制御したとしても、サブ画面Ｂの輝度変化を小さく抑えることができる。従って、視聴者がメイン画面Ａを視聴中にサブ画面Ｂを見たとしても、視聴者に与える違和感を低減することができる。
【００５１】
ここで、入力信号Ａ，Ｂの両方の音声が出力される場合を想定する。例えば、スピーカで入力信号Ａ（メイン画面Ａ）の音声を出力し、イヤホンで入力信号Ｂ（サブ画面Ｂ）の音声を出力するケースが想定される。このような場合には、２人以上の視聴者が２つの画面（メイン画面Ａ，サブ画面Ｂ）をそれぞれ集中して視聴していると考えられる。そして、例えば、メイン画面Ａの映像特徴量に基づいてバックライトユニット７の発光輝度を可変制御してしまうと、サブ画面Ｂを見ている視聴者に違和感を与える可能性がある。従って、このような場合には、バックライト光源を可変制御する処理を停止させ、バックライト光源を一定の輝度にすることが望ましい。
【００５２】
以上、上述した各例では入力映像信号の特徴量としてＡＰＬを使用し、ＡＰＬに応じてバックライト光源の発光輝度の制御を行っているが、上記特徴量はＡＰＬに限ることなく、例えば、入力映像信号の１フレームのピーク輝度の状態（有無または多少）を利用するようにしてもよい。
【００５３】
また、入力映像信号の特徴量として、１フレーム内の所定領域（期間）における最大輝度レベルや最小輝度レベル、輝度分布状態（ヒストグラム）を用いたり、これらを組み合わせて求めた映像信号の特徴量に基づき、バックライト光源の発光輝度を可変制御するようにしてもよい。
【００５４】
更に、ＡＰＬを用いた映像信号の特徴量に対するバックライト光源の発光輝度制御を実行する際に、ＡＰＬを求めるために１フレーム全ての映像信号の輝度レベルの平均値を求める必要はなく、表示映像の端部を除外した中央付近の映像信号の輝度レベルの平均値を求めて、これを映像信号のＡＰＬとして用いるようにしてもよい。例えば、放送受信信号から分離・取得されたジャンル情報に基づいて、予め設定された（文字・記号等が重畳されている可能性が高い）画面領域を除外するようにゲート制御して、所定の一部領域のみのＡＰＬを算出するようにしてもよい。
【００５５】
なお、上記のようなバックライト光源の発光輝度制御は、直視型の液晶表示装置のみならず、液晶プロジェクタのような投影型表示装置に対しても適用できる。この場合も液晶パネルの背面側から光源光を照射することによって、映像表示が行われ、この光源光の発光輝度を上記の発光輝度制御特性に従って制御すればよい。
【符号の説明】
【００５６】
１…液晶表示装置、２…映像合成部、３…２画面制御部、４…バックライト制御部、５…ＬＣＤコントローラ、６…液晶パネル、７…バックライトユニット、８…音声選択部、９…音声出力部、１０…リモコン信号受光部。
【図１】
2014032301.tif 000003
【図２】
2014032301.tif 000004
【図３】
2014032301.tif 000005
【図４】
2014032301.tif 000006
【図５】
2014032301.tif 000007